(57)【特許請求の範囲】
【請求項１】
ターンバックルブレースにおいて、ブレースの両側に配置される一対の連結体と、一方の連結体とブレース端部との間に介される長さ調整体とで構成され、該長さ調整体は、円柱状を成した本体と、本体のブレース側に形成した雌ねじ部と、本体と一方の連結体との間に形成したボルト部とを備え、ボルト部を一方の連結体に左ねじでねじ止めするように構成し、ブレースの雄ねじの径より太い本体の外周の一部または全体にナット形状を形成し、本体を回転するとブレースの長さが調整されるように構成したことを特徴とするターンバックルブレース。
【請求項２】
前記連結体は、前記ボルト部を左ねじで連結する調整連結体と、前記ブレースの他端部に右ねじで連結する固定連結体とで構成された請求項１記載のターンバックルブレース。
【請求項３】
前記調整連結体は、建築物に固定する固定部と、該固定部から延長され前記ボルト部に連結する連結管とを備えた請求項２記載のターンバックルブレース。
【請求項４】
前記固定連結体は、建築物に固定する固定部と、該固定部から延長され前記ブレースに連結する固定管とを備えた請求項２記載のターンバックルブレース。
【発明の詳細な説明】
【技術分野】
【０００１】
本発明は、建築物の筋かいなどに用いるターンバックルにおいて、ターンバックル胴を使用せずに長さを調整することができるターンバックルブレースに関するものである。
【背景技術】
【０００２】
建築物の筋かいなどに用いるターンバックルは、例えば特許文献１に記載のごとく、全体の長さを調整するターンバックル胴（ターンバックル本体）と、羽子板の一端に長ボルトを固定した羽子板ボルトとで構成されている。
【０００３】
このターンバックル胴は、割枠式またはパイプ式の接続部材を備え、各羽子板ボルトの端部をねじ止めして全体の長さを調整する。このとき、羽子板ボルトの一方には左ねじが設けられており、ターンバックル胴を一方向に回転させると全体の長さが伸長し、逆方向に回転させると伸縮するものである。
【０００４】
一方、ターンバックルの羽子板に雌ネジを設け、この羽子板側で全体の長さを調整する構成が特許文献２に記載されている。このターンバックルではターンバックル胴を使用せず、羽子板にねじ止めする長ボルトを使用して全体の長さを調整するものである。
【先行技術文献】
【特許文献】
【０００５】
【特許文献１】特開平１１−１４０９９３号公報
【特許文献２】特開２００２−１４６９１９号公報
【発明の概要】
【発明が解決しようとする課題】
【０００６】
特許文献１の構成のように、ターンバックル胴を使用するとターンバックルの長さ調整が容易になるので、一般的なターンバックルにはこのターンバックル胴が設けられている。
【０００７】
ところが、このようなターンバックル胴を使用すると、ターンバックル長の調整範囲が大きい場合に操作性が良くなるが、狭い範囲に設置する場合や調整範囲が小さい場合など、ターンバックル胴が大き過ぎて使用が困難になる場合もあった。
【０００８】
そこで、特許文献２のターンバックルのように、ターンバックル胴を使用しないターンバックルが提案されている。ところが、特許文献２の構成では、ターンバックル長の調整作業に課題があった。すなわち、この構成においてターンバックルの長さを調整するには、羽子板端部にねじ止めする長ボルトの長さを変えて調整するものである。
【０００９】
したがって、建築物に羽子板を固定した後で、ターンバックル長を調整するには、長ボルト自体を回転させる必要がある。そのため、この長ボルトを操作して行う長さ調整作業が難しくなるといった課題が残されていた。
【００１０】
そこで本発明は上述の課題を解消すべく案出されたもので、従来のターンバックル胴を使用せずに長さ調整が容易になるターンバックルブレースの提供を目的とするものである。
【課題を解決するための手段】
【００１１】
上述の目的を達成すべく本発明の第１の手段は、ターンバックルブレースにおいて、ブレース１０の両側に配置される一対の連結体２０と、一方の連結体２０とブレース１０端部との間に介される長さ調整体３０とで構成され、該長さ調整体３０は、円柱状を成した本体３１と、本体３１のブレース１０側に形成した雌ねじ部３２と、本体３１と一方の連結体２０との間に形成したボルト部３３とを備え、ボルト部３３を一方の連結体２０に左ねじでねじ止めするように構成し、ブレース１０の雄ねじの径より太い本体３１の外周の一部または全体にナット形状３４を形成し、本体３１を回転するとブレース１０の長さが調整されるように構成したことにある。
【００１２】
第２の手段において、前記連結体２０は、前記ボルト部３３を左ねじで連結する調整連結体２０Ａと、前記ブレース１０の他端部に右ねじで連結する固定連結体２０Ｂとで構成されたものである。
【００１３】
第３の手段の前記調整連結体２０Ａは、建築物に固定する固定部２１と、該固定部２１から延長され前記ボルト部３３に連結する連結管２２とを備えている。
【００１４】
第４の手段の前記固定連結体２０Ｂは、建築物に固定する固定部２１と、該固定部２１から延長され前記ブレース１０に連結する固定管２３とを備えたものである。
【発明の効果】
【００１５】
本発明によると、ブレース１０の両側に装着される一対の連結体２０と、一方の連結体２０とブレース１０端部との間に介される長さ調整体３０とで構成され、該長さ調整体３０は、円柱状を成した本体３１の両端に雌ねじ部３２とボルト部３３とを備え、該雌ねじ部３２にブレース１０の一端部をねじ止めすると共に、ボルト部３３を一方の連結体２０に左ねじでねじ止めするように構成したことで、従来のターンバックル胴を用いずに長さ調整が容易になるターンバックルブレースの提供に成功した。
【００１６】
しかも、本体３１の外周の一部または全体にナット形状３４を形成したことにより、スパナ等の工具によって、長さ調整体３０の回転操作が極めて容易になる。
【００１７】
さらに、連結体２０は、雌ねじ部３２のボルト部３３を左ねじで連結する調整連結体２０Ａと、ブレース１０の他端部に右ねじで連結する固定連結体２０Ｂとで構成しているので、長さ調整体３０の回転操作はパイプ式のターンバックル胴と同じ操作になるので、ターンバックル胴を用いた従来のターンバックルと同様に使用することができる。
【００１８】
また、長さ調整体３０は、円柱状を成した本体３１の両端に雌ねじ部３２とボルト部３３とを備え、該雌ねじ部３２にブレース１０の一端部をねじ止めすると共に、ボルト部３３を一方の連結体２０にねじ止めするように構成しているので、従来の羽子板ボルトのように長ボルトの溶接部分が露出する構成に比べてデザイン的にも優れている。この結果、ターンバックルを敢えて露出させるような建築物のデザインにも親和性のある使用が可能になる。
【図面の簡単な説明】
【００１９】
【図１】本発明の一実施例を示す斜視図である。
【図２】本発明の一実施例を示す正面図である。
【図３】本発明の一実施例を示す平面図である。
【図４】本発明の使用状態を示す正面図である。
【発明を実施するための形態】
【００２０】
本発明を図示例に基づいて説明する。本発明ターンバックルブレースは、建築物の筋かいなどに用いる部材であり、ブレース１０、連結体２０、長さ調整体３０を主要構成とする。
【００２１】
ブレース１０は、両端に雄ねじを設けた長尺のロッドで、このブレース１０の両側に一対の連結体２０を配置する（図１参照）。すなわち、ブレース１０の一端部に長さ調整体３０を介して連結体２０を連結し、ブレース１０の他端部に直接連結体２０を連結するものである。
【００２２】
この連結体２０は、装着位置によって調整連結体２０Ａと固定連結体２０Ｂとが選択される。調整連結体２０Ａはブレース１０の一端部側に装着し、固定連結体２０Ｂはブレース１０の他端部側に装着する。ブレース１０の一端部側には長さ調整体３０が直接連結されており、この長さ調整体３０に調整連結体２０Ａを連結する。
【００２３】
長さ調整体３０は、このように調整連結体２０Ａとブレース１０端部との間に介される調整部材であり、円柱状を成した本体３１の両端に雌ねじ部３２とボルト部３３とを備え、雌ねじ部３２にブレース１０の一端部をねじ止めする（図２参照）。
【００２４】
一方、ボルト部３３は、左ねじで形成されているねじ部材で、このボルト部３３を調整連結体２０Ａにねじ止めする。したがって、この長さ調整体３０を回転させると、従来のターンバックル胴と同様の作用が生じ、ブレース１０の長さを調整することができる。このとき、ボルト部３３の径をブレース１０の雄ねじの径よりもワンサイズ太くすることで、長さ調整体３０の強度を高めている。
【００２５】
さらに、本体３１の外周の一部または全体にナット形状３４を形成している。このナット形状３４は、スパナ等で回転し安いように形成した部位である。図示例では、本体３１のブレース１０側端部に六角ナット型のナット形状３４を形成しているが、ナット形状３４の型は図示例に限られず、ナット等の工具が使用できる形状であればよい。この結果、長さ調整体３０でブレース１０の長さを調整するには、スパナ等の工具で容易に回転調整することができる。
【００２６】
図示の整連結体２０Ａは、建築物Ｐに固定する固定部２１と、該固定部２１から長さ調整体３０方向に延長された連結管２２とを備えている（図２参照）。この固定管２３に左ねじの雌ネジが設けられている。
【００２７】
一方、固定連結体２０Ｂは、ブレース１０の他端部に右ねじで連結する。図示の固定連結体２０Ｂは、建築物Ｐに固定する固定部２１と、該固定部２１からブレース１０方向に延長された固定管２３とを備えたものである。
【００２８】
これら調整連結体２０Ａ、固定連結体２０Ｂは、いずれも連結孔２１Ａを備えており、この連結孔２１Ａに固定ボルト４０を挿通する（図３参照）。そして、建築物Ｐに固定する場合は、建築物Ｐに固定されている固定金物Ｐ１に固定ボルト４０を挿通して固定する（図４参照）。
【００２９】
尚、本発明は図示例に限定されるものではなく、ブレース１０、連結体２０、長さ調整体３０の各構成は、本発明の要旨を変更しない範囲で任意に変更することができるものである。
【符号の説明】
【００３０】
Ｐ  建築物
Ｐ１  固定金物
１０  ブレース
２０  連結体
２０Ａ  調整連結体
２０Ｂ  固定連結体
２１  固定部
２１Ａ  連結孔
２２  連結管
２３  固定管
３０  長さ調整体
３１  本体
３２  雌ねじ部
３３  ボルト部
４０  固定ボルト
【図１】
0006898604.tif 000002
【図２】
0006898604.tif 000003
【図３】
0006898604.tif 000004
【図４】
0006898604.tif 000005